(57)【要約】【課題】見逃した画像の続きを簡単な操作で再生することができるようにする。【解決手段】ネットワークを介して周辺装置と接続された、画像を再生するための画像再生装置は、周辺装置の状態を取得する状態取得部であるＬＡＮ  Ｉ／Ｆ部２１と、周辺装置が予め設定された状態に変化したことを状態取得部が取得したとき、状態の変化に関する情報と、状態の変化が生じた時間に関する情報と、再生が行われている画像に関する情報を記録し、これらの情報に基づいて状態の変化が生じたときの画像を復元する記録復元部３１とを備えている。【選択図】図２
2009271957.tif 000002
【特許請求の範囲】
【請求項１】
通信ラインを介して周辺装置と接続された、画像を再生するための画像再生装置であって、
前記周辺装置の状態を取得する状態取得部と、
前記周辺装置が予め設定された状態に変化したことを前記状態取得部が取得したとき、前記状態の変化に関する情報と、前記状態の変化が生じた時間に関する情報と、再生が行われている画像に関する情報を記録する記録復元部と、
を備えていることを特徴とする画像再生装置。
【請求項２】
前記状態の変化に関する情報と、前記状態の変化が生じた時間に関する情報と、再生が行われている画像に関する情報とをリストとして表示することを特徴とする請求項１に記載の画像再生装置。
【請求項３】
前記リストにおいて、復元が可能な前記画像に関する情報が階層的に表示されることを特徴とする請求項２に記載の画像再生装置。
【請求項４】
前記再生が行われている画像に関する情報に基づいて、前記リストからユーザにより指定された画像を復元するための設定を行う制御部を有することを特徴とする請求項２に記載の画像再生装置。
【請求項５】
複数の前記周辺装置のうち、状態を取得する対象となる前記周辺装置を予め登録しておく登録リストを備えていることを特徴とする請求項１から４のいずれかに記載の画像再生装置。
【請求項６】
前記登録リストは、前記状態取得部が取得する状態の変化を、前記周辺装置ごとに予め登録しておくことを特徴とする請求項５に記載の画像再生装置。
【請求項７】
通信ラインを介して周辺装置と接続された画像再生装置によって画像を再生するための画像再生方法であって、
状態取得部が前記周辺装置の状態を取得する状態取得ステップと、
前記周辺装置が予め設定された状態に変化したことを前記状態取得部が取得したとき、前記状態の変化に関する情報と、前記状態の変化が生じた時間に関する情報と、再生が行われている画像に関する情報を記録する記録ステップと、
を備えていることを特徴とする画像再生方法。
【発明の詳細な説明】
【技術分野】
【０００１】
本発明は、画像再生装置及び画像再生方法に関する。
【背景技術】
【０００２】
近年、ＨＤＤレコーダやＡＶサーバの普及により、特定の位置から迅速に画像を再生することができるタイムシフト再生のニーズが高まってきている。しかし、動画を再生しているときに、突発的な事由により視聴を中断してしまったときには、画像の再生がそのまま継続して行われてしまう場合がある。そのような場合には、ユーザが見逃したシーンまで戻って画像再生を希望する場合には、シーン頭だし作業などの煩雑な作業を行う必要があり、利便性が悪い。
【０００３】
下記特許文献１には、視聴できなかったシーンを検索するため、動画の再生中にキー操作があったフレームにキー操作の有無を記録する画像再生装置が開示されている。再生時にはフラグが付加されている最終フレームを検出し、そのフレームまでスキップした後に、再生を開始するように動作する。
【特許文献１】特開２００６−０１８９２３号公報
【発明の開示】
【発明が解決しようとする課題】
【０００４】
しかしながら、上記従来の画像再生装置では、キー操作の有無の記録に基づいて画像を再生するため、キー操作に関係しない他の突発的な出来事でやむを得ずユーザが画像の視聴を中断した場合には、十分な効果が得らない。
【０００５】
本発明は上記事情に鑑みて成されたものであり、画像の視聴を中断した場合であっても、容易に画像を復元し、ユーザが画像の視聴を継続することができる画像再生装置及び画像再生方法を提供することを目的とする。
【課題を解決するための手段】
【０００６】
本発明は、上記課題を解決するため、以下の手段を採用する。
通信ラインを介して周辺装置と接続された、画像を再生するための画像再生装置であって、前記周辺装置の状態を取得する状態取得部と、前記周辺装置が予め設定された状態に変化したことを前記状態取得部が取得したとき、前記状態の変化に関する情報と、前記状態の変化が生じた時間に関する情報と、再生が行われている画像に関する情報を記録する記録復元部とを備えていることを特徴とする。
【発明の効果】
【０００７】
本発明によれば、周辺装置に状態の変化が生じた場合、例えば、画像の再生中に突発的な出来事によってユーザがやむを得ず画像の視聴を中断した場合であっても、本発明は見逃した画像を容易に復元し、ユーザは容易に画像の視聴を継続することができる。
【発明を実施するための最良の形態】
【０００８】
＜第１実施形態＞
本発明に係る第１実施形態について、図１から図７を参照して説明する。本実施形態に係る画像再生システム１は、図１に示すように、ルータ２と、画像を記録再生するレコーダ３と、レコーダ３から映像音声信号を入力して画像を再生するための画像再生装置であるテレビＡ５と、画像データを蓄積するＡＶサーバ６と、を備えている。
テレビＡには、再生された画像を表示するための表示部（不図示）が備えられている。
【０００９】
ルータ２は、外部インターネット網Ｗと、ホームネットワークＮの基幹Ｐと、に接続されている。ルータ２には、ＰＬＣ（Power Line Communications）アダプタ７、ＡＶ（Audio Visual）サーバ６、テレビＡ５、テレビＢ８が接続されている。これらの機器は、ルータ２を介して外部インターネット網ＷやホームネットワークＮ内の他の機器と接続されている。ＡＶサーバ６、テレビＡ５、テレビＢ８は、ＤＬＮＡ（Digital Living Network Alliance）に対応しており、ホームネットワークＮ内のあらゆるＡＶデータを相互に共有可能となっている。このＡＶデータには、ＭＰＥＧ−２、ＭＰＥＧ−４、Ｈ．２６４／ＡＶＣ等の動画データ、ＪＰＥＧ、ＴＩＦＦ、ＢＭＰ、ＲＡＷ等の静止画データ、ＭＰ３、ＷＭＡ、ＷＡＶ等の音楽データや、プレイリストなどが含まれる。
【００１０】
このＡＶデータの共有によって、テレビＢ８が放送受信した画像をＡＶサーバ６に記録して、その画像をテレビＡ５で再生するなど、相互の機器で録画や再生を行うことも可能となっている。ホームネットワークＮには、インターホンＩ、電話Ｔ、照明システムＬ、洗濯機ＷＭといった周辺装置が、ＰＬＣアダプタ７を介した通信ラインにより接続されている。照明システムＬは、住宅内の照明を一括管理するシステムで、例えば、トイレ電球ＴＢの点灯や消灯の検出などのステータスを取得する事が可能である。
【００１１】
レコーダ３は、図２に示すように、光学ドライブ１０、ＨＤＤドライブ１１、放送受信録画部１２、復調部１３、画像音声処理部１５、制御部１６、レコーダ側ＨＤＭＩ
Ｉ／Ｆ部１７からなる。光学ドライブ１０やＨＤＤドライブ１１から読み出されたＡＶデータは復調部１３で画像音声信号に復調され、画像音声処理部１５では画像音声信号に所望の信号処理が施される。
レコーダ３とテレビＡ５とは、ＨＤＭＩ（High-Definition Multimedia Interface）を介して接続され、信号処理された画像音声信号は、レコーダ側ＨＤＭＩ Ｉ／Ｆ部１７からテレビＡ５へ出力される。また、レコーダ３とテレビＡ５とはＣＥＣ（Consumer Electronics Control）ラインを介して互いに通信可能である。
【００１２】
テレビＡ５は、レコーダ３に記録された画像データ又はネットワークを介して配信された画像データに基づく画像を再生視聴するための画像再生装置である。テレビＡ５は、図２に示すように、テレビ側ＨＤＭＩ
Ｉ／Ｆ部２０、ＬＡＮ  Ｉ／Ｆ部２１、放送受信部２２、ＵＳＢ Ｉ／Ｆ部２３からなる。テレビＡ５は、さらに、リモコン Ｉ／Ｆ部２５、復調部２６、画像音声処理部２７、画質モード設定部２８、コンテンツ記録再生部３０、記録復元部３１、時計３２、表示部３３、制御部３５からなる。
【００１３】
テレビ側ＨＤＭＩ Ｉ／Ｆ部２０は、レコーダ側ＨＤＭＩ
Ｉ／Ｆ部１７とＨＤＭＩ−ＣＥＣの制御コマンドにより制御が可能である。すなわち、制御部３５は、レコーダ３内の光学ドライブ１０やＨＤＤドライブ１１に対し、制御コマンドを送信する。この制御コマンドに従って、テレビＡ５は、録画、再生、再生、早送りなどのトリックプレイ、レコーダ３のステータス取得、ドライブモードの変更、字幕、音声モードの変更や、再生ファイルの選択及び再生開始位置等、再生動作を含む基本的な制御を行う。
【００１４】
ＬＡＮ  Ｉ／Ｆ部２１は、画像の再生視聴の中断要因となる周辺装置の状態を所定の監視サイクルに基づき取得する状態取得部である。また、ＬＡＮ  Ｉ／Ｆ部２１は、Ｉ／Ｐ放送やＤＬＮＡ対応機器からのＡＶデータを取得すると共に、ホームネットワークＮに接続され、テレビＡ５に表示されるメニューを通じた操作により、ＡＶサーバ６内のＡＶデータ再生、トリックプレイ等を行う。ＬＡＮ  Ｉ／Ｆ部２１は、例えば、インターホンＩや電話Ｔの通話状態、照明システムＬに接続されたトイレ電球ＴＢのＯＮ／ＯＦＦ状態、洗濯機ＷＭのブザー状態等、画像の再生視聴の中断要因となる周辺装置の状態を所定の監視サイクルに基づき取得する。このときの通信プロトコルは、例えばＨＴＴＰを用いる。
【００１５】
なお、本実施形態では電話Ｔ等の周辺装置の状態取得をテレビＡ５が一定間隔で行うプル型通信としているが、電話Ｔが通話開始や終了のタイミングで状態情報を発信し、発信された状態情報をテレビＡ５が受信するプッシュ型の情報取得方法をとっても良い。
【００１６】
放送受信部２２は、ＢＳ波、ＣＳ波、地上波などの放送波の受信及び複合化を行い、ＭＰＥＧ−２ＴＳなどの放送トランスポートストリーム（放送ＴＳ）に変換する。ＵＳＢ
Ｉ／Ｆ部２３は、外部ＨＤＤやメモリカードリーダと接続され、ＵＳＢ対応のメディアに対しＡＶデータの読み書きが可能となっている。復調部２６は、ＬＡＮ  Ｉ／Ｆ部２１、放送受信部２２、ＵＳＢ
Ｉ／Ｆ部２３、コンテンツ記録再生部３０から入力された、ＭＰＥＧ−２ ＴＳ、ＭＰＥＧ−２  ＰＳ、Ｈ．２６４／ＡＶＣ、ＶＣ−１、ＪＰＥＧ、ＡＡＣ、ＭＰ３等の映像・音声データの復調を行い、復調したデータを画像音声処理部２７に伝送する。
【００１７】
画像音声処理部２７は、復調部２６やテレビ側ＨＤＭＩ Ｉ／Ｆ部２０から入力された画像・音声データが高画質あるいは高音質となるよう、該データの特徴や視聴環境から画像信号処理や音声補正処理を施し、表示部３３に画像を表示する。画質モード設定部２８には、コンテンツの種類や視聴環境など、視聴状況に応じて最適な画質が得られるよう、画像音声処理部２７の画像信号処理用のパラメータが予めプリセットされている。
【００１８】
画質モード設定部２８には「ダイナミック」「スタンダード」「シネマ」という名称で画質モードがプリセットされ、ユーザによるＧＵＩを利用した操作と、後述する記録復元部３１とによって画質モードの変更を行うことができる。例えば、画質モードを「シネマ」とした場合は、シアターのような環境に最適な設定となるよう、輝度やコントラストを低く抑え、落ち着いた色調で映画コンテンツが再生される。
【００１９】
コンテンツ記録再生部３０は、放送受信部２２の放送ＴＳを制御部３５経由で受信したのちプログラムストリーム（ＰＳ）変換やＨ．２６４／ＡＶＣなどにトランスコードされ、内蔵の不図示の記憶装置に記録する。コンテンツ記録再生部３０は、前記不図示の記憶装置内のデータを復調部２６で復調し、画像音声処理部２７で画像信号処理や音声補正処理などを施した後に、表示部３３に画像を表示する。
【００２０】
記録復元部３１は、予め登録された周辺装置、例えば電話Ｔが予め設定された状態（例えば通話状態）に変化したときには、その状態の変化に関する情報（状態情報）と、その状態の変化が生じた時間に関する情報（時間情報）、及び再生されている画像に関する情報（画像再生情報）を記録する。画像再生情報は、状態の変化が生じた時点の画像データにおける位置情報（図６における開始位置）を含む。
【００２１】
記録復元部３１は、また、状態情報及び画像再生情報に基づいて、状態の変化が元の状態に戻った時点の再生画像における位置情報（図６における終了位置）を記録する。すなわち、記録復元部３１は、ユーザが画像を視聴しているとき、突発的な出来事によってやむを得ず画像視聴を中断した場合であっても、前述の情報に基づいて見逃したシーンの続きを再生する（以後、アシスト再生と称する）。
【００２２】
ユーザは、アシスト再生の対象としたい周辺装置を、図３に示す周辺装置の登録リストに登録する。周辺装置の登録リストでは、インターホンＩ、電話Ｔ、照明システムＬ、洗濯機ＷＭ等の各周辺装置の中で、監視したい機器、通話ステータス等の項目を選択することができる。状態情報は、周辺装置の名称及び所定の状態変化の内容、テレビＡ５の入力端子及び画質モード、レコーダ３の機器名称及びドライブモードを含んでいる。画像再生情報は、再生画像の題名、ファイル情報を含んでいる。周辺装置の登録リストは、さらに、状態情報の監視サイクル、再生動作の開始位置や終了位置を補正するオフセット時間、コメント等を含む。
【００２３】
リモコン Ｉ／Ｆ部２５は、図４に示すリモートコントローラ４０との間でデータ通信を行う。表示部３３は、再生画像だけでなく画像音声処理部２７等で生成されたＧＵＩによる表示を表示する。制御部３５には、上記各構成における機能を実現させるためのプログラムが格納されている。
【００２４】
次に、本発明に係る画像再生装置であるテレビＡ５の作用について、突発的な出来事により、やむを得ず画像視聴を中断した場合の画像再生方法とともに説明する。
【００２５】
図５を参照して、第１実施形態に係る画像再生方法を説明する。まず、ステップＳ１０１において、状態取得部であるＬＡＮ  Ｉ／Ｆ部２１は、画像音声再生中に画像の再生視聴の中断要因となる周辺装置（例えば、インターホンＩ、電話Ｔ、照明システムＬ、洗濯機ＷＭ）の状態を予め設定された監視サイクルに基づいて取得し（状態取得ステップＳ１０１）、ステップＳ１０２に進む。例えば、電話Ｔの状態は、５秒に１回の頻度で取得される。ステップＳ１０２において、所定の監視サイクル内における各周辺装置の状態に変化があるか否かを判定する。各周辺装置の状態に変化がなかった場合にはステップＳ１０１に戻る。状態に変化があった場合には、ステップＳ１０３に進む。
【００２６】
ステップＳ１０３において、周辺装置の変化した後の状態が、予め設定された状態と一致するか否かを判定する。一致した場合には、ステップＳ１０４（記録ステップ）に進み、状態の変化に関する情報（以下、状態情報）、状態の変化が生じた時間に関する情報（以下、時間情報）、及び再生が行われている画像に関する情報（以下、画像再生情報）を記録する。具体的には、ステップＳ１０４において、電話Ｔによって通話が開始され、電話Ｔの状態が通話状態に変化したとき、記録復元部３１は、前述の情報を記録する。ステップＳ１０４において、記録復元部３１は、また、見逃した画像の再生に必要な各種情報と、トラック情報や位置情報を含む再生情報をテレビＡ５又はレコーダ３から取得する。ステップＳ１０３において、不一致の場合には、ステップＳ１０５（記録ステップ）に進む。
【００２７】
続いて、ステップＳ１０５において、状態の変化が元の状態に戻った時点の再生画像における位置情報（図６における終了位置）を記録する。具体的には、記録復元部３１は、ステップＳ１０４で記録した各種情報から差分を計算し、再生している画像の終了位置を記録する。
【００２８】
なお、ステップＳ１０４からステップＳ１０５との間で、複数のコンテンツを再生した場合には、再生したコンテンツすべての再生情報が記録される。また、各周辺装置からの情報取得方法は、テレビＡ５がポーリングによって周辺装置の状態情報を取得する方法でもよく、各周辺装置が状態変化に応じてテレビＡ５に情報を発信するプッシュ型の通信方法でも良い。
【００２９】
復元に必要な状態情報は、例えば、周辺装置の名称、周辺装置の状態変化の内容、テレビＡ５の入力端子や画質モードなどの選択状態等を含む。状態情報は、また、レコーダ３の名称、ＨＤＤドライブ１１や光学ドライブ１０を選択するドライブモードの選択状態、英語・日本語などの字幕表示の選択状態、５．１ｃｈや２ｃｈ等の音声モードの選択状態を含む。画像再生情報は、例えば、見逃しシーンの続きの視聴に必要なファイル名やパス等の再生ファイル情報、コンテンツのタイトル名等を含む。
【００３０】
次に、リストに基づいて画像を復元させる復元ステップＳ１０６について、さらに詳細に説明する。復元ステップＳ１０６では、周辺装置の状態変化に関する突発的な出来事でやむを得ず視聴を中断したときに、簡単な操作によって状態取得ステップ（Ｓ１０１）に戻って、見逃したシーンの続きが再生される。
【００３１】
ユーザがリモートコントローラを操作すると、記録復元部３１によって、記録された各種情報が抽出される。図６に示すようなアシスト再生リストが生成され、画像音声処理部２７がこれを表示部３３に表示する。ユーザは表示されたリストから再生したいコンテンツの選択を行う。ユーザがあるシーンを見逃した場合、後でそのシーンが何であるかをユーザが容易に知ることができることが望ましい。そのため、アシスト再生リストには、日時情報と再生情報に加えて、再生Ｎｏ．、周辺装置情報、ＴＶ設定、レコーダ設定等の情報を含んでいる。
【００３２】
表示部３３がアシスト再生リストを表示した後、ユーザは視聴を希望するコンテンツをリモートコントローラのカーソルキーによって、又はリスト内の再生Ｎｏ．を入力することによって、選択する。例えば、ユーザがインターホンに応答することによって見逃した「朝のドラマ（１１／２９）」を選ぶ場合には、アシスト再生リスト内の「朝のドラマ（１１／２９）」をリモートコントローラのカーソルキーによって選択する。又は、リモートコントローラ４０のキーの「１」を押すことによって、選択する。
【００３３】
なお、アシスト再生リストの表示は、図４に示すリモートコントローラ４０に設けられた「アシスト再生」と記されたダイレクトキーを操作することによって、直ちに開始されるようにしてもよい。また、コンテンツの選択は、レコーダ３のリモートコントローラの操作、携帯型通信端末の操作、又は音声認識技術によって行われるようにしてもよい。
【００３４】
続いて、記録復元部３１は、テレビＡ５の入力端子や画質モード等の設定状態に関する情報と、ドライブモード、字幕、音声モード等のレコーダ３の設定状態に関する情報を復元し、コンテンツの視聴されなかった部分の頭出し再生を行う。例えば、ユーザが「朝のドラマ（１１／２９）」を選択した場合、記録復元部３１は、テレビＡ５の入力端子を「ＨＤＭＩ１」、画質モードを「スタンダード」に設定する。記録復元部３１は、また、レコーダ３側の設定をＣＥＣ（Consumer Electronics Control）制御コマンドによりドライブモードを「ＨＤＤ」に設定する。記録復元部３１は、また、字幕を「なし」に設定し、音声モードを「ステレオ」に設定し、再生ファイル及びトラックをＴＲ３／ｖｄ００３．ｔｓとに設定し、再生位置を００：０２：３０にセットする。
【００３５】
これによって、コンテンツの視聴されなかった部分からの再生が開始される。アシスト再生が開始され、現在の再生位置が図６に示す「アシスト再生リスト」の終了位置を超えた場合には、表示部３３がアシスト再生を終了するか否かのダイアログメッセージを表示し、ユーザにアシスト再生の終了又は継続を選択させるようにしてもよい。
【００３６】
次に、ＡＶ（Ａｕｄｉｏ  Ｖｉｓｕａｌ）サーバ６上の画像データをテレビＡ５で復号化して画像再生する場合について説明する。
【００３７】
ＡＶサーバ６のＡＶデータは、ＭＰＥＧ−２，ＭＰＥＧ−４，Ｈ．２６４／ＡＶＣ等の動画データを含む。ユーザがテレビＡ５のメニューを操作することによって、テレビＡ５がＡＶサーバ６内のＡＶデータの再生やトリックプレイ等を行う。ＡＶデータを再生するとき、ＡＶサーバ６にホームネットワークを介して接続されたＬＡＮ  Ｉ／Ｆ部２１を介して、随時ストリームデータの読み出しが行われる。ＬＡＮ  Ｉ／Ｆ部２１を介して読み出したストリームデータは、ＭＰＥＧ−２，Ｈ．２６４／ＡＶＣ，ＶＣ−１等によって圧縮されている。そのため、復調部２６はストリームデータを画像データ等に復調し、画像音声処理部２７が復調された画像データに対してγ補正や色補正などを行った後、表示部３３が画像を表示する。
【００３８】
記録復元部３１が記録する画像再生情報は、ＡＶサーバ６内のコンテンツ再生に関するファイル情報として、Ｄｉｇｉｔａｌ  Ｍｅｄｉａ  Ｓｅｒｖｅｒ（ＤＭＳ）等のホスト名、ＩＰアドレス、フォルダ名等を含む。ＡＶサーバ６内のコンテンツは、図７に示すように、再生リストとして表示される。
【００３９】
例えば、ユーザがＡＶサーバ６内の「欧州サッカー（１１／２５）」のストリーム再生を希望した場合、記録復元部３１は、「欧州サッカー（１１／２５）」に対応するホスト名及び再生ファイル名などのファイル情報を読み出す。記録復元部３１は、さらに、再生位置を００:３５:００にセットする。続いて、コンテンツの視聴されなかった部分からの再生が開始される。
【００４０】
第１実施形態によれば、以下の効果を奏する。ユーザが画像を視聴しているとき、記録復元部３１が、周辺装置の状態を監視し、日時、周辺装置の状態、コンテンツの再生情報、テレビＡ５及びレコーダ３の設定状態を記録している。ユーザが画像を視聴しているとき、突発的な出来事で、やむを得ず画像視聴を中断した場合であっても、簡単な操作によって、速やかに視聴できなかったシーンの続きを視聴することができる。
【００４１】
＜第２実施形態＞
次に、第２実施形態について図８を参照しながら説明する。なお、上述した他の実施形態と同様の構成要素には同一符号を付すとともに説明を省略する。
第２実施形態と第１実施形態との異なる点は、周辺装置の状態ログが大量に蓄積された場合に、記録復元部が周辺装置の複数の状態変化を階層別に記録するとした点である。
【００４２】
例えば、「プロ野球（１１／３０）」再生中に、トイレ電球ＴＢ、洗濯機ＷＭ、電話Ｔ等、複数の中断要因が重なった場合について説明する。記録復元部３１は、これら複数の状態ログを階層に分けて記録する。
【００４３】
図８は、アシスト再生リストを表示した例を示す。ユーザが、下段の「アシスト再生リストｃ１」に対して、詳細なログ表示を要求したとき、選択項目の下位階層にあたる上段の「アシスト再生詳細リストｃ２」が表示される。例えば、ユーザが電話に応答し、「プロ野球（１１／３０）」の視聴を中断した場合、ユーザは「アシスト再生」を選択して、「アシスト再生リストｃ１」を表示させる。
【００４４】
続いて、ユーザが、黒枠で表示された「プロ野球（１１／３０）」の表示を選択することによって、又はリモコンキーの「１」を選択することによって、下位階層の「アシスト再生詳細リストｃ２」が表示される。ユーザが「電話」の表示を選択することによって、又はリモコンキーの「２」を選択することによって、見逃したシーンの再生が行われる。なお、第２実施形態においては、コンテンツのタイトルに基づいて階層的な表示を行ったが、周辺装置ごと、日付別、又は周辺機器の状態等他の項目に基づいて階層的な表示を行っても良い。
【００４５】
第２実施形態によれば、記録復元部が、周辺装置の複数の状態変化を階層的に記録する。したがって、周辺装置の状態ログが複数存在する場合においても、階層的な表示を行うことができ、目的のアシスト再生位置を簡単に検索することが可能となるため、ユーザの利便性を向上することが可能となる。
【００４６】
なお、本発明の技術範囲は上記実施の形態に限定されるものではなく、本発明の趣旨を逸脱しない範囲において種々の変更を加えることが可能である。また、テレビＡの構成要素を実現するプログラムをコンピュータ読み取り可能な記録媒体に記録し、この記録媒体に記録されたプログラムをテレビＡに読み込ませ、実行することによって本発明の画像再生システムを実現することができる。
【図面の簡単な説明】
【００４７】
【図１】本発明の第１実施形態に係る画像再生システムを示す概要図である。
【図２】本発明の第１実施形態に係るテレビＡ及びレコーダを示す機能ブロック図である。
【図３】本発明の第１実施形態に係るテレビＡの周辺機器の登録リストである。
【図４】本発明の第１実施形態に係るテレビＡと接続されるリモートコントローラを示す概要図である。
【図５】本発明の第１実施形態に係る画像再生方法を示すフロー図である。
【図６】本発明の第１実施形態に係るテレビＡに表示されるアシスト再生リストである。
【図７】本発明の第１実施形態に係るテレビＡに表示される別のアシスト再生リストである。
【図８】本発明の第２実施形態に係るテレビＡに表示されるアシスト再生リストである。
【符号の説明】
【００４８】
Ｗ  インターネット網
Ｔ  電話
Ｉ  インターホン
Ｌ  照明システム
Ｎ  ホームネットワーク
ＷＭ  洗濯機
１  画像再生システム
２  ルータ
３  レコーダ
５  テレビＡ（画像再生装置）
６  ＡＶサーバ
２１  ＬＡＮ  Ｉ／Ｆ部（状態取得部）
３０  コンテンツ記録再生部
３１  記録復元部
３３  表示部
【図１】
2009271957.tif 000003
【図２】
2009271957.tif 000004
【図３】
2009271957.tif 000005
【図４】
2009271957.tif 000006
【図５】
2009271957.tif 000007
【図６】
2009271957.tif 000008
【図７】
2009271957.tif 000009
【図８】
2009271957.tif 000010